Podtech/llm-jp-corpus-v4-ja_patent huggingface dataset:
【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
機体と、
前記機体の前方に設けられ、農作物の根部を載せて後方に搬送する第１搬送装置と、
前記第１搬送装置の上方に設けられ、前記農作物の茎葉部を挟持して後方に搬送する第２搬送装置と、
前記第２搬送装置の下方に、互いに向かい合って配置され、前記農作物の根部から土を落とす一対の回転体を含む土落とし部と、
を備え、
前記回転体は、それぞれ複数の突起部材を有し、
前記回転体が１回転する間に、前記複数の突起部材が前記根部又は茎葉部に複数回接触する、収穫機。
【請求項２】
前記複数の突起部材は、前記回転体の回転軸を中心に回転対称の位置に設けられている、請求項１に記載の収穫機。
【請求項３】
前記回転体は、複数の支持体に跨って設けられた補助部材をさらに含む、請求項１に記載の収穫機。
【請求項４】
前記補助部材には、他の複数の突起部材が設けられている、請求項３に記載の収穫機。
【請求項５】
前記突起部材は、弾性体で構成されている、請求項１乃至４のいずれか一項に記載の収穫機。
【請求項６】
前記一対の回転体の後方に、さらに、前記農作物の根部から土を落とす他の土落とし部を備え、
前記他の土落とし部は、円筒部材と、該円筒部材の外周面に設けられた複数の歯部を有する複数の環状体を含み、
前記複数の環状体は、平面視において、前記円筒部材の回転軸に対して斜めに配置されている、請求項１乃至５のいずれか一項に記載の収穫機。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
遊技球の入球が可能な第１始動口と、
遊技球の入球が可能な第２始動口と、
開放したときには遊技球が入球可能または入球容易となる大入賞口と、
前記第１始動口への入球を契機として、通常遊技より遊技者に有利な状態である特別遊技へ移行するか否かを判定する当否判定を実行する第１当否判定手段と、
前記第２始動口への入球を契機として、通常遊技より遊技者に有利な状態である特別遊技へ移行するか否かを判定する当否判定を実行する第２当否判定手段と、
前記第１当否判定手段による当否判定の結果を示すための第１特別図柄が変動表示される第１図柄表示装置と、
前記第２当否判定手段による当否判定の結果を示すための第２特別図柄が変動表示される第２図柄表示装置と、
前記第１当否判定手段による当否判定の結果または前記第２当否判定手段による当否判定の結果が大当りである場合、大入賞口の開放を伴う特別遊技を実行する特別遊技制御手段と、
前記第２始動口への入球容易性に関する状態として、通常入球状態と、通常入球状態よりも入球容易性が高い入球容易状態とを有し、通常入球状態の設定または入球容易状態の設定が可能な入球状態設定手段と、
前記第１特別図柄または前記第２特別図柄の変動表示に対応する装飾図柄による変動演出を含む演出内容が表示される演出表示装置と、
前記演出内容を決定する演出決定手段と、
を備え、
前記装飾図柄は、相対的に大きな表示領域に表示され得るメイン装飾図柄と、前記メイン装飾図柄より小さい表示領域に表示され得るミニ装飾図柄と、を含み、
前記メイン装飾図柄は、視覚的要素である第１要素と、前記第１要素とは異なる視覚的要素である第２要素により構成され、
前記ミニ装飾図柄は、視覚的要素である第１要素により構成される一方で、前記第１要素とは異なる視覚的要素である第２要素は含まず、
前記メイン装飾図柄は、その表示領域が所定の状況において移動可能である一方、前記ミニ装飾図柄は、その表示領域が前記所定の状況であっても移動しないことを特徴とする弾球遊技機。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
遊技球の入球が可能な第１始動口と、
遊技球の入球が可能な第２始動口と、
開放したときには遊技球が入球可能または入球容易となる大入賞口と、
前記第１始動口への入球を契機として、通常遊技より遊技者に有利な状態である特別遊技へ移行するか否かを判定する当否判定を実行する第１当否判定手段と、
前記第２始動口への入球を契機として、通常遊技より遊技者に有利な状態である特別遊技へ移行するか否かを判定する当否判定を実行する第２当否判定手段と、
前記第１当否判定手段による当否判定の結果を示すための第１特別図柄が変動表示される第１図柄表示装置と、
前記第２当否判定手段による当否判定の結果を示すための第２特別図柄が変動表示される第２図柄表示装置と、
前記第１当否判定手段による当否判定の結果または前記第２当否判定手段による当否判定の結果が大当りである場合、大入賞口の開放を伴う特別遊技を実行する特別遊技制御手段と、
前記第２始動口への入球容易性に関する状態として、通常入球状態と、通常入球状態よりも入球容易性が高い入球容易状態とを有し、通常入球状態の設定または入球容易状態の設定が可能な入球状態設定手段と、
前記第１特別図柄または前記第２特別図柄の変動表示に対応する装飾図柄による変動演出を含む演出内容が表示される演出表示装置と、
前記演出内容を決定する演出決定手段と、
を備え、
前記装飾図柄は、相対的に大きな表示領域に表示され得るメイン装飾図柄と、前記メイン装飾図柄より小さい表示領域に表示され得るミニ装飾図柄と、を含み、
前記メイン装飾図柄が変動可能な方向は複数通りがある一方、前記ミニ装飾図柄が変動可能な方向は一通りであり、
前記メイン装飾図柄の変動速度の段階数は前記ミニ装飾図柄の変動速度の段階数より多いことを特徴とする弾球遊技機。
【手続補正書】
【提出日】令和3年9月15日(2021.9.15)
【手続補正１】
【補正対象書類名】特許請求の範囲
【補正対象項目名】全文
【補正方法】変更
【補正の内容】
【特許請求の範囲】
【請求項１】
トイレ本体と、該トイレ本体内を上層部分及び下層部分に区画する尿透過性の仕切層とを備え、前記下層部分に、尿を受けるための尿受け部を有するペット用トイレと一緒に使用されるペット用採尿セットであって、
前記ペット用採尿セットは、非吸水性部材を備え、
前記非吸水性部材は、前記ペット用採尿セットの使用時に、前記仕切層に直面するように前記尿受け部内に配置されるペット用採尿セット。
【請求項２】
前記非吸水性部材は、前記ペット用トイレの前記尿受け部の底面積よりも大きな面積を有し、且つ前記ペット用採尿セットの使用時に、該非吸水性部材の周縁部が前記尿受け部の周壁に沿って立ち上がるように該尿受け部内に配置される請求項１記載のペット用採尿セット。
【請求項３】
前記ペット用採尿セットは、シート状の液透過性部材及び液保持性の吸収体を更に備え、該液透過性部材と前記非吸水性部材との間に前記吸収体が配置されている請求項１又は２に記載のペット用採尿セット。
【請求項４】
前記尿受け部は、前記トイレ本体に対して出し入れ可能なトレーであり、該トレーは、平面視で略四角形状を有している請求項１〜３の何れか１項に記載のペット用採尿セット。
【請求項５】
前記ペット用採尿セットは、シート状の吸水性部材を更に備え、
前記ペット用採尿セットの使用時に、前記吸水性部材における吸水可能部位が前記仕切層に対向し、且つ前記非吸水性部材が、該吸水性部材上に重なるとともに該仕切層に直面するように、該吸水性部材及び該非吸水性部材が前記尿受け部内に配置される請求項１〜４の何れか１項に記載のペット用採尿セット。
【請求項６】
前記吸水性部材は、前記尿受け部の底面積よりも大きな面積を有し、且つ前記ペット用採尿セットの使用時に、該吸水性部材の周縁部が前記尿受け部の周壁に沿って立ち上がるように該尿受け部内に配置される請求項５記載のペット用採尿セット。
【請求項７】
前記非吸水性部材が第１白色部を有し、
前記非吸水性部材は、前記ペット用採尿セットの使用時に、第１白色部が前記仕切層に直面するように、前記尿受け部内に配置される請求項１〜６の何れか１項に記載のペット用採尿セット。
【請求項８】
前記吸水性部材における前記吸水可能部位が第２白色部を有し、
前記非吸水性部材が透明部を有し、
前記ペット用採尿セットの使用時に、第２白色部上に前記透明部が位置するように、前記吸水性部材及び前記非吸水性部材が前記尿受け部内に配置される請求項５又は６記載のペット用採尿セット。
【請求項９】
前記非吸水性部材が、尿の色を判断するための指標となる色見本部を有し、
前記非吸水性部材は、前記ペット用採尿セットの使用時に、前記色見本部が前記仕切層に直面するように、前記尿受け部内に配置される請求項１〜８の何れか１項に記載のペット用採尿セット。
【請求項１０】
ペットから排泄されて前記非吸水性部材上に落下した尿を採取するための請求項１〜９の何れか１項に記載のペット用採尿セット。
【請求項１１】
前記請求項１〜１０の何れか１項に記載のペット用採尿セットを用いたペットの尿採取方法であって、
前記ペットから排泄されて前記非吸水性部材上に落下した尿を吸い取って密封可能な容器に移し替えるか、或いは吸引機能を有する密封可能な容器で尿を直接吸い取って採取するペットの尿採取方法。
【請求項１２】
前記ペットは、猫である請求項１１記載のペットの尿採取方法。
【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
吸収体と、該吸収体を保持する外装体とを備えた吸収性物品であって、
前記外装体は、着用者の肌側に配された内層シートと、非肌側に配された外層シートと、該内層シートと該外層シートとの間に設けられた吸湿シートと、を備え、
前記内層シート及び前記外層シートは、熱可塑性繊維シート又は熱可塑性繊維複合シートであり、
前記吸湿シートは、セルロース繊維を含有しており、
前記吸湿シートの繊維配向が、前記内層シートの繊維配向と直交する方向と異なる方向に配置され、
前記吸湿シートの一部が、前記内層シート及び前記外層シートの少なくとも一方に接合されている接合部を有する吸収性物品。
【請求項２】
前記吸湿シートの繊維配向が、前記内層シートの繊維配向と直交する方向と３０°以上異なる請求項１に記載の吸収性物品。
【請求項３】
前記内層シートの親水度は、該外層シートより高く、該吸湿シートより低い請求項１又は２記載の吸収性物品。
【請求項４】
前記内層シートと前記外層シートとの間に、弾性体をさらに含む請求項１乃至３いずれか記載の吸収性物品。
【請求項５】
前記吸湿シートが、クレープ加工され又は延伸加工されたシートである請求項１乃至４いずれか記載の吸収性物品。
【請求項６】
前記吸湿シートが、ホットメルト接着剤により前記内層シート又は外層シートに接合されている請求項１乃至５いずれか記載の吸収性物品。
【請求項７】
前記吸湿シートの一部が前記内層シートに接合され、前記接合部が二以上有し、前記内層シートに接合された吸湿シートが吸湿時に内層シートから離間するよう構成されている請求項１乃至６いずれか記載の吸収性物品。
【請求項８】
前記吸湿シートがクレープ加工又は延伸加工されたシートであり、接合部がクレープ加工又は延伸加工の方向に沿って備えられている請求項１乃至７いずれか記載の吸収性物品。
【請求項９】
前記内層シート及び該外層シートの少なくとも一方が、伸縮シートである請求項１乃至８いずれか記載の吸収性物品。
【請求項１０】
前記吸湿シートがクレープ加工されたシートであり、そのクレープ率が２％以上である請求項９記載の吸収性物品。
【請求項１１】
吸収体と、該吸収体を保持する外装体とを備えた吸収性物品であって、
前記外装体は、着用者の肌側の内層シートと、非肌側の外層シートと、該内層シートと該外層シートとの間に設けられた吸湿シートと、を備え、
前記内層シート及び前記外層シートは、熱可塑性繊維シート又は熱可塑性繊維複合シートであり、
前記吸湿シートは、セルロース繊維を含有しており、
前記吸湿シートの繊維配向が、前記内層シートの繊維配向と直交する方向と異なる方向に配置され、
前記吸湿シートの少なくとも一部が吸湿による繊維配向方向の膨潤によって前記内層シートから離隔可能に前記外装体に接合され、
該吸湿シートは、該内層シート及び該外層シートと繊維配向が異なる方向になるように配置されている吸収性物品。
【請求項１２】
吸収体と、該吸収体を保持する外装体とを備えた吸収性物品であって、
前記外装体は、着用者の肌側の内層シートと、非肌側の外層シートと、該内層シートと該外層シートとの間に設けられた吸湿シートと、を備え、
前記内層シート及び前記外層シートは、熱可塑性繊維シート又は熱可塑性繊維複合シートであり、
前記吸湿シートは、セルロース繊維を含有しており、
前記吸湿シートの繊維配向が、前記内層シートの繊維配向と直交する方向と異なる方向に配置され、
前記吸湿シートの少なくとも一部が吸湿による繊維配向方向の膨潤によって前記内層シートから離隔可能に前記外装体に接合され、
該吸湿シートは、該内層シート及び該外層シートと、それぞれ接合部を介して接合され、該吸湿シートと該内層シートとの該接合部は、該吸湿シートを介して、該吸湿シートと該外層シートとの該接合部と対向している吸収性物品。
【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
複数の表示画面と、
前記表示画面による表示を制御する表示制御手段と、を備えた遊技機であって、
前記表示制御手段は、前記複数の表示画面のうち一方の表示画面から他方の表示画面へ所定の演出画像を移動させる移動表示制御を実行可能であり、
前記一方の表示画面は、前記他方の表示画面よりも手前側に位置しており、
前記移動表示制御では、前記一方の表示画面に表示されて移動の対象とされる前記所定の演出画像を、前記一方の表示画面の一端側へ移動させて該一端に到達するタイミングでその到達する部位から順に非表示とした後、その非表示とした部位から順に、前記他方の表示画面の前記一端側近傍に表示して、そこから移動方向へ移動させる
ことを特徴とする遊技機。
【請求項２】
前記一方の表示画面よりも前記他方の表示画面の方が、画面サイズが大きい
ことを特徴とする請求項１に記載の遊技機。
【請求項３】
前記移動表示制御では、前記所定の演出画像を前記一方の表示画面に表示するときと前記他方の表示画面に表示するときとで、前記所定の演出画像の表示サイズを異ならせる
ことを特徴とする請求項１又は２に記載の遊技機。
【手続補正２】
【補正対象書類名】明細書
【補正対象項目名】０００６
【補正方法】変更
【補正の内容】
【０００６】
前述の課題を解決するために、本発明は以下の構成を採用した。
（１）手段１の遊技機は、
複数の表示画面と、
前記表示画面による表示を制御する表示制御手段と、を備えた遊技機であって、
前記表示制御手段は、前記複数の表示画面のうち一方の表示画面から他方の表示画面へ所定の演出画像を移動させる移動表示制御を実行可能であり、
前記一方の表示画面は、前記他方の表示画面よりも手前側に位置しており、
前記移動表示制御では、前記一方の表示画面に表示されて移動の対象とされる前記所定の演出画像を、前記一方の表示画面の一端側へ移動させて該一端に到達するタイミングでその到達する部位から順に非表示とした後、その非表示とした部位から順に、前記他方の表示画面の前記一端側近傍に表示して、そこから移動方向へ移動させる
ことを要旨とする。
（２）手段２の遊技機は、手段１の遊技機において、
前記一方の表示画面よりも前記他方の表示画面の方が、画面サイズが大きい
ことを要旨とする。
（３）手段３の遊技機は、手段１又は２の遊技機において、
前記移動表示制御では、前記所定の演出画像を前記一方の表示画面に表示するときと前記他方の表示画面に表示するときとで、前記所定の演出画像の表示サイズを異ならせる
ことを要旨とする。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
洗濯機本体と、
前記洗濯機本体の内部に設けられた水槽と、
所定量の洗濯処理剤を洗濯運転中に前記水槽内に自動で投入する自動投入装置と、を備え、
前記自動投入装置は、複数回分の洗濯処理剤を貯留可能な処理剤タンクと、前記洗濯機本体の後部側に設けられ前記処理剤タンクを着脱可能に収容するタンク収容部と、を有し、
前記処理剤タンクは、前記処理剤タンクの内部と外部とを連通する投入口と、前記投入口を開閉するタンク蓋と、前記処理剤タンクの周壁を構成するタンク周壁部のうち前記処理剤タンクの手前側に配置されたタンク前壁部よりも後側でかつ前記タンク蓋の下方に設けられた取手部と、を有している、
洗濯機。
【請求項２】
前記取手部は、前記処理剤タンクを前記タンク収容部に収容した状態において前記洗濯機本体の表面から外方へ突出しない形状に形成されている、
請求項１に記載の洗濯機。
【請求項３】
前記取手部は、前記処理剤タンクを前記タンク収容部に収容した状態において前記処理剤タンクを前記洗濯機本体の前側へ向かって窪ませた形状に形成されている、
請求項１又は２に記載の洗濯機。
【請求項４】
前記タンク収容部は、
前記タンク収容部の内部と外部とを連通する接続部を有し、
前記処理剤タンクは、
前記処理剤タンクの外部と内部とを連通し、当該処理剤タンクを前記タンク収容部に挿入した状態でその挿入端において前記接続部に接続される供給口部と、
前記タンク周壁部のうちユーザから見て奥側のタンク周壁部であるタンク奥壁部の外側に設けられ、前記接続部に対する前記供給口部の接続方向に対し前記供給口部側へ向かうにつれて前記供給口部側に近づくように傾斜した傾斜部と、を有している、
請求項１から３のいずれか一項に記載の洗濯機。
【請求項５】
前記傾斜部が設けられた前記タンク周壁部における前記供給口側の端部と、前記タンク収容部との間に隙間を有している、
請求項４に記載の洗濯機。
【請求項６】
前記タンク収容部は、前記タンク収容部の周壁を構成する収容部周壁部を有し、
前記収容部周壁部のうちユーザから見て奥側の収容部周壁部である収容部奥壁は、ユーザから見て手前側の収容部周壁部である収容部前壁部よりも、前記タンク収容部の底となる収容部底部からの高さ寸法が小さい、
請求項１から５のいずれか一項に記載の洗濯機。
【請求項７】
前記タンク収容部は、前記タンク収容部の周壁を構成する収容部周壁部を有し、
前記収容部周壁部のうちユーザから見て手前側の収容部周壁部である収容部前壁部は、前記接続方向に対し前記タンク収容部の底となる収容部底部へ向かうにつれて前記接続部に近づくように傾斜している、
請求項４又は５に記載の洗濯機。
【請求項８】
洗濯機本体と、
前記洗濯機本体の内部に設けられた水槽と、
所定量の洗濯処理剤を洗濯運転中に前記水槽内に自動で投入する自動投入装置と、を備え、
前記自動投入装置は、複数回分の洗濯処理剤を貯留可能な処理剤タンクと、前記洗濯機本体の後部側に設けられ前記処理剤タンクを着脱可能に収容するタンク収容部と、を有し、
前記処理剤タンクは、ユーザが前記処理剤タンクの後側から前記取手部に手をかけて前記処理剤タンクをユーザ側に回動させて前記処理剤タンクを前記タンク収容部から抜き出すことが可能に構成されている、
洗濯機。
【手続補正２】
【補正対象書類名】明細書
【補正対象項目名】０００６
【補正方法】変更
【補正の内容】
【０００６】
実施形態の洗濯機は、洗濯機本体と、前記洗濯機本体の内部に設けられた水槽と、所定量の洗濯処理剤を洗濯運転中に前記水槽内に自動で投入する自動投入装置と、を備え、前記自動投入装置は、複数回分の洗濯処理剤を貯留可能な処理剤タンクと、前記洗濯機本体の後部側に設けられ前記処理剤タンクを着脱可能に収容するタンク収容部と、を有し、前記処理剤タンクは、前記処理剤タンクの内部と外部とを連通する投入口と、前記投入口を開閉するタンク蓋と、前記処理剤タンクの周壁を構成するタンク周壁部のうち前記処理剤タンクの手前側に配置されたタンク前壁部よりも後側でかつ前記タンク蓋の下方に設けられた取手部と、を有している。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
洗濯機本体と、
前記洗濯機本体の内部に設けられた水槽と、
所定量の洗濯処理剤を洗濯運転中に前記水槽内に自動で投入する自動投入装置と、を備え、
前記自動投入装置は、複数回分の洗濯処理剤を貯留可能な処理剤タンクと、前記洗濯機本体に設けられ前記処理剤タンクを着脱可能に収容するタンク収容部と、を有し、
前記タンク収容部は、
前記タンク収容部の内部と外部とを連通する接続部を有し、
前記処理剤タンクは、
容器状に構成されたタンク本体と、
前記タンク本体に設けられ、前記処理剤タンクの外部と内部とを連通し、当該処理剤タンクを前記タンク収容部に挿入した状態でその挿入端において前記接続部に接続される供給口部と、
前記タンク本体の外側に設けられ、前記接続部に対する前記供給口部の接続方向に対し前記供給口部側へ向かうにつれて前記供給口部側に近づくように傾斜し、前記処理剤タンクが前記タンク収容部に挿入される際に前記タンク収容部に接触して前記処理剤タンクの位置を案内する傾斜部と、を有している、
洗濯機。
【請求項２】
前記傾斜部に対して前記供給口部とは反対側に設けられ、前記接続方向に沿って形成されたガイド部を更に有している、
請求項１に記載の洗濯機。
【請求項３】
前記処理剤タンクは、前記タンク本体から外方に突出し前記接続方向へ沿って伸びる棒状又は板状に形成されたリブを有し、
前記傾斜部は、前記リブの端面に設けられている、
請求項１又は２に記載の洗濯機。
【請求項４】
前記処理剤タンクは、前記タンク本体から外方に突出し前記接続方向へ沿って伸びる棒状又は板状に形成されたリブを有し、
前記リブは、前記ガイド部の下方に設けられている、
請求項２に記載の洗濯機。
【請求項５】
前記タンク収容部は、前記リブを受けて前記処理剤タンクの前記接続方向に対するずれを規制するリブ規制部を有している、
請求項３又は４に記載の洗濯機。
【請求項６】
前記接続方向は、水平方向のベクトル成分よりも鉛直方向のベクトル成分の方が大きくなるように設定されている、
請求項１から５のいずれか一項に記載の洗濯機。
【請求項７】
前記供給口部は、前記処理剤タンクにおける中心位置に対して前記傾斜部とは反対側寄りに設けられている、
請求項１から６のいずれか一項に記載の洗濯機。
【請求項８】
前記タンク収容部の周壁を構成する収容部周壁部のうち前記タンク収容部の手前側に配置された前記収容部周壁部である収容部前壁部は、前記処理剤タンクの挿入方向に対し、前記タンク収容部に設けられた開口である挿入口側から前記接続部側へ向かうにつれて前記接続部側に近づく方向へ僅かに傾斜しており、
前記収容部前壁部の傾斜角度は、前記接続方向に対する前記傾斜部の傾斜角度よりも小さい、
請求項１から７のいずれか一項に記載の洗濯機。
【請求項９】
前記処理剤タンクは、
当該処理剤タンクの内部と外部とを連通する投入口と、
前記投入口を開閉するタンク蓋と、
前記処理剤タンクを前記タンク収容部に収容した状態において、前記タンク収容部の周壁を構成する収容部周壁部のうち前記タンク収容部の手前側に配置された前記収容部周壁部である収容部前壁部よりも後側でかつ前記タンク蓋の下方に設けられた取手部と、を更に有している、
請求項１から８のいずれか一項に記載の洗濯機。
【手続補正２】
【補正対象書類名】明細書
【補正対象項目名】０００６
【補正方法】変更
【補正の内容】
【０００６】
実施形態の洗濯機は、洗濯機本体と、前記洗濯機本体の内部に設けられた水槽と、所定量の洗濯処理剤を洗濯運転中に前記水槽内に自動で投入する自動投入装置と、を備えている。前記自動投入装置は、複数回分の洗濯処理剤を貯留可能な処理剤タンクと、前記洗濯機本体に設けられ前記処理剤タンクを着脱可能に収容するタンク収容部と、を有している。前記タンク収容部は、前記タンク収容部の内部と外部とを連通する接続部を有している。前記処理剤タンクは、容器状に構成されたタンク本体と、前記タンク本体に設けられ、前記処理剤タンクの外部と内部とを連通し、当該処理剤タンクを前記タンク収容部に挿入した状態でその挿入端において前記接続部に接続される供給口部と、前記タンク本体の外側に設けられ、前記接続部に対する前記供給口部の接続方向に対し前記供給口部側へ向かうにつれて前記供給口部側に近づくように傾斜し、前記処理剤タンクが前記タンク収容部に挿入される際に前記タンク収容部に接触して前記処理剤タンクの位置を案内する傾斜部と、を有している。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
情報処理装置であって、
所定のソフトウェアを実行する第１コントローラと、
クロック信号を受け付けることで動作し、前記所定のソフトウェアが改ざんされているか否か検証する第２コントローラと、
前記第１コントローラに電圧を供給する電源電圧回路と、
前記所定のソフトウェアが改ざんされていないことに基づいて、前記電源電圧回路が前記第１コントローラに供給する電圧を変更する電源制御コントローラと、を備え、
前記第２コントローラは、受け付けたクロック信号が第１周波数のクロック信号から前記第１周波数よりも高い第２周波数のクロック信号に切り替わることに基づいて、前記所定のソフトウェアが正常か否かを検証する
こと特徴とする情報処理装置。
【請求項２】
前記第１コントローラと前記第２コントローラに、少なくとも前記第１周波数のクロック信号を供給する信号生成回路と、を有することを特徴とする請求項１に記載の情報処理装置。
【請求項３】
前記信号生成回路は、前記第１コントローラによる前記電源電圧回路が供給する電圧を変更した後、前記第１周波数のクロック信号より高い第３周波数のクロック信号を出力する、ことを特徴とする請求項２に記載の情報処理装置。
【請求項４】
前記第１周波数と前記第３周波数は、同じである、ことを特徴とする請求項３に記載の情報処理装置。
【請求項５】
前記所定のソフトウェアが改ざんされておらず且つ前記信号生成回路によって供給されるクロック信号が前記第２周波数のクロック信号から前記第１周波数のクロック信号に切り替わることに基づいて、前記電源制御コントローラは、前記第１コントローラに供給する電圧を変更させることを特徴とする請求項２乃至４のいずれか１項に記載の情報処理装置。
【請求項６】
前記第１周波数のクロック信号及び前記第２周波数のクロック信号が入力され、前記第１周波数のクロック信号及び前記第２周波数のクロック信号の何れか一方を出力する、出力切り替え回路を有することを特徴とする請求項１乃至５のいずれか１項に記載の情報処理装置。
【請求項７】
前記第２コントローラは、前記出力切り替え回路が出力する周波数を設定する、ことを特徴とする請求項６に記載の情報処理装置。
【請求項８】
前記出力切り替え回路は、前記ソフトウェアが改ざんされていない場合に、前記第１周波数のクロック信号を出力する、ことを特徴とする請求項６または７に記載の情報処理装置。
【請求項９】
前記出力切り替え回路は、前記第１コントローラおよび前記第２コントローラに第１周波数のクロック信号および第２周波数のクロック信号を出力する、ことを特徴とする請求項６乃至８のいずれか１項に記載の情報処理装置。
【請求項１０】
前記第１周波数のクロック信号が入力され、前記第２周波数のクロック信号を出力する周波数変更回路を備える、ことを特徴とする請求項１乃至９のいずれか１項に記載の情報処理装置。
【請求項１１】
前記第２コントローラによる前記ソフトウェアが改ざんされたことを示す情報を通知する通知手段をさらに備える、ことを特徴とする請求項１乃至１０のいずれか１項に記載の情報処理装置。
【請求項１２】
前記通知手段は、光を出力する光出力手段である、ことを特徴とする請求項１１に記載の情報処理装置。
【請求項１３】
前記第２コントローラは、前記第１コントローラが実行するソフトウェアの一部と予め保持した正解値とを比較することにより、前記ソフトウェアが改ざんされているか否かを検証する、ことを特徴とする請求項１乃至１２のいずれか１項に記載の情報処理装置。
【請求項１４】
前記第２コントローラによる前記所定のソフトウェアが改ざんされているか否かを検証で行う処理は、前記所定のソフトウェアをリードする処理、前記所定のソフトウェアに対応する値と比較される比較用データをリードする処理、前記所定のソフトウェアに対応する値と比較用データとを比較する処理、前記所定のソフトウェアに対応する値と比較用データとが一致するかどうかを判断する処理、の少なくとも１つである、ことを特徴とする請求項１乃至１３のいずれか１項に記載の情報処理装置。
【請求項１５】
前記第１コントローラによる前記電源電圧回路が出力する電圧の設定処理とは、前記電源制御コントローラから電圧に対応する情報をリードする処理、前記電源制御コントローラからリードした前記情報を前記電源電圧回路に出力する処理、の少なくとも１つである、ことを特徴とする請求項１乃至１４のいずれか１項に記載の情報処理装置。
【請求項１６】
前記第１コントローラと前記第２コントローラとは同期関係である、ことを特徴とする請求項１乃至１５のいずれか１項に記載の情報処理装置。
【請求項１７】
前記ソフトウェアは、前記第１コントローラのブートデータである、ことを特徴とする請求項１乃至１６のいずれか１項に記載の情報処理装置。
【請求項１８】
用紙に画像を印刷する印刷手段をさらに備える、ことを特徴とする請求項１乃至１７のいずれか１項に記載の情報処理装置。
【請求項１９】
原稿の画像を読み取る読取手段をさらに備える、ことを特徴とする請求項１乃至１８のいずれか１項に記載の情報処理装置。
【請求項２０】
第１コントローラに電圧を出力する、
前記第１コントローラが実行する所定のソフトウェアを検証する、
前記第１コントローラに供給するべき電圧に対応する情報を保持する、
保持された前記情報に基づいて前記第１コントローラに供給される電圧を設定する、
少なくとも前記所定のソフトウェアの検証処理中に、前記ソフトウェアを検証する第２コントローラに第１周波数のクロック信号を出力する、
少なくとも前記第１コントローラに供給するべき電圧の設定処理中に、前記第１コントローラに前記第１周波数より低速の第２周波数のクロック信号を出力する、こと特徴とする情報処理装置の制御方法。
【手続補正２】
【補正対象書類名】明細書
【補正対象項目名】０００８
【補正方法】変更
【補正の内容】
【０００８】
本発明は、情報処理装置であって、所定のソフトウェアを実行する第１コントローラと、クロック信号を受け付けることで動作し、前記所定のソフトウェアが改ざんされているか否か検証する第２コントローラと、前記第１コントローラに電圧を供給する電源電圧回路と、前記所定のソフトウェアが改ざんされていないことに基づいて、前記電源電圧回路が前記第１コントローラに供給する電圧を変更する電源制御コントローラと、を備え、前記第２コントローラは、受け付けたクロック信号が第１周波数のクロック信号から前記第１周波数よりも高い第２周波数のクロック信号に切り替わることに基づいて、前記所定のソフトウェアが正常か否かを検証すること特徴とする。
【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
第１導電型のＳｉＣ基板と、
前記ＳｉＣ基板の第１主面に形成され、前記ＳｉＣ基板の不純物濃度よりも低い不純物濃度を有する第１導電型のエピタキシャル層と、
前記ＳｉＣ基板の前記第１主面に対向する第２主面に形成されるドレイン領域と、
前記エピタキシャル層に形成される第２導電型の第１及び第２のボディ層と、
前記第１のボディ層に形成される第１導電型の第１のソース領域と、
前記第２のボディ層に形成される第１導電型の第２のソース領域と、
前記第１及び前記第２のボディ層に挟まれた前記エピタキシャル層であるＪＦＥＴ領域と前記第１のボディ層とに接し、前記エピタキシャル層の不純物濃度よりも高い不純物濃度を有する第１導電型の第１の第１領域と、
前記ＪＦＥＴ領域と前記第２のボディ層とに接し、前記エピタキシャル層の不純物濃度よりも高い第１導電型の第２の第１領域と、
前記ＪＦＥＴ領域に形成される第２導電型の第２領域と、
前記第１のソース領域、前記第１のボディ層及び前記第１の第１領域に延在して形成される第１のトレンチと、
前記第２のソース領域、前記第２のボディ層及び前記第２の第１領域に延在して形成される第２のトレンチと、
前記第１のトレンチ及び前記第２のトレンチの内壁に形成される絶縁膜と、
前記第１のトレンチ及び前記第２のトレンチの前記絶縁膜上に形成されるゲート電極とを有し、
前記第１及び前記第２の第１領域、前記ＪＦＥＴ領域及び前記第２領域を覆うように、第２導電型の第３領域を有する半導体装置。
【請求項２】
請求項１において、
前記第１及び前記第２のボディ層、前記第１及び前記第２のソース領域、前記第１及び前記第２の第１領域は、平面視においてストライプパターンを有し、
前記第１のトレンチ及び前記第２のトレンチを通る直線は前記ストライプパターンの長手方向と交差する半導体装置。
【請求項３】
請求項１において、
前記第２領域は、前記第１及び前記第２の第１領域よりも深く形成されている半導体装置。
【請求項４】
請求項１において、
前記第２領域の直下に、前記エピタキシャル層の不純物濃度よりも高い不純物濃度を有する第１導電型の第４領域を有する半導体装置。
【請求項５】
請求項２において、
前記第２領域は、前記ストライプパターンの長手方向に延在するストライプパターンを有する半導体装置。
【請求項６】
第１導電型のＳｉＣ基板と、
前記ＳｉＣ基板の第１主面に形成され、前記ＳｉＣ基板の不純物濃度よりも低い不純物濃度を有する第１導電型のエピタキシャル層と、
前記ＳｉＣ基板の前記第１主面に対向する第２主面に形成されるドレイン領域と、
前記エピタキシャル層に形成される第２導電型の第１及び第２のボディ層と、
前記第１のボディ層に形成される第１導電型の第１のソース領域と、
前記第２のボディ層に形成される第１導電型の第２のソース領域と、
前記第１及び前記第２のボディ層に挟まれた前記エピタキシャル層であるＪＦＥＴ領域と前記第１のボディ層とに接し、前記エピタキシャル層の不純物濃度よりも高い不純物濃度を有する第１導電型の第１の第１領域と、
前記ＪＦＥＴ領域と前記第２のボディ層とに接し、前記エピタキシャル層の不純物濃度よりも高い第１導電型の第２の第１領域と、
前記ＪＦＥＴ領域に形成される第２導電型の第２領域と、
前記第１のソース領域、前記第１のボディ層及び前記第１の第１領域に延在して形成される第１のトレンチと、
前記第２のソース領域、前記第２のボディ層及び前記第２の第１領域に延在して形成される第２のトレンチと、
前記第１のトレンチ及び前記第２のトレンチの内壁に形成される絶縁膜と、
前記第１のトレンチ及び前記第２のトレンチの前記絶縁膜上に形成されるゲート電極とを有し、
前記第１及び前記第２のボディ層、前記第１及び前記第２のソース領域、前記第１及び前記第２の第１領域は、平面視においてストライプパターンを有し、
前記第１のトレンチ及び前記第２のトレンチを通る直線は前記ストライプパターンの長手方向と交差し、
前記第２領域は、前記第１のトレンチ及び前記第２のトレンチに挟まれる領域に、平面視において島状に形成される半導体装置。
【請求項７】
請求項１において、
前記第１のボディ層に形成され、前記第１のボディ層の不純物濃度よりも高い不純物濃度を有する第２導電型の第１の第５領域と、
前記第２のボディ層に形成され、前記第２のボディ層の不純物濃度よりも高い不純物濃度を有する第２導電型の第２の第５領域と、
前記第１のソース領域、前記第１の第５領域、前記第２のソース領域、及び前記第２の第５領域を接続するソース電極とを有する半導体装置。
【請求項８】
請求項７において、
前記第２領域は、前記ソース電極と接続される半導体装置。
【請求項９】
請求項８において、
前記ソース電極は、前記第２領域周辺の前記ＪＦＥＴ領域と接する半導体装置。
【請求項１０】
電源電位と、
基準電位と、
負荷入力電位と、
前記電源電位と前記負荷入力電位との間に接続される第１のスイッチング素子と、
前記基準電位と前記負荷入力電位との間に接続される第２のスイッチング素子と、
前記第１のスイッチング素子及び前記第２のスイッチング素子を制御する制御回路とを有し、
前記第１のスイッチング素子及び前記第２のスイッチング素子として、請求項１〜９のいずれか１項に記載の半導体装置を用いる電力変換装置。
【請求項１１】
請求項１０において、
前記第１のスイッチング素子に、逆並列に接続される第１のダイオードと、
前記第２のスイッチング素子に、逆並列に接続される第２のダイオードとを有する電力変換装置。
【請求項１２】
直流電力を交流電力に変換する電力変換装置と、
前記電力変換装置により駆動されるモータとを有し、
前記電力変換装置として、請求項１０に記載の電力変換装置を用いるモータシステム。
【請求項１３】
車輪と、
前記車輪に接続される駆動軸とを有し、
請求項１２に記載のモータシステムにより前記駆動軸に動力を入出力可能とされる車両。
【手続補正書】
【提出日】令和3年10月25日(2021.10.25)
【手続補正１】
【補正対象書類名】明細書
【補正対象項目名】００３２
【補正方法】変更
【補正の内容】
【００３２】
≪コイル≫
コイル２は、図１に示すように、巻線が螺旋状に巻回されてなる筒状の巻回部２１、２２を備える。一対の巻回部２１、２２を備えるコイル２として、以下の二つの形態が挙げられる。一つ目の形態は、独立した２本の巻線によってそれぞれ形成される巻回部２１、２２と、巻回部２１、２２から引き出される巻線の両端部のうち、一方の端部同士を接続する接続部とを備える。接続部は、巻線の端部同士が溶接や圧着等によって直接接合されて構成されることが挙げられる。他に、接続部は、適宜な金具等を介して間接的に接続されて構成されることが挙げられる。二つ目の形態は、１本の連続する巻線から形成される巻回部２１、２２と、巻回部２１、２２間に渡される巻線の一部からなり、巻回部２１、２２を連結する連結部とを備える。上述のいずれの形態も、各巻回部２１、２２から延びる巻線の端部は、ケース５の外部に引き出されて、電源等の外部装置が接続される箇所として利用される。なお、図１及び後述の図８、図９では、説明の便宜上、巻回部２１、２２のみを示し、巻線の端部、接続部や連結部を省略している。
【手続補正２】
【補正対象書類名】明細書
【補正対象項目名】００５７
【補正方法】変更
【補正の内容】
【００５７】
≪封止樹脂部≫
封止樹脂部６は、ケース５内に充填されて、組合体１０の少なくとも一部を覆う。具体的には、封止樹脂部６は、組合体１０とケース５との間の隙間に介在される。封止樹脂部６は、組合体１０の機械的保護及び外部環境からの保護（防食性の向上）の機能を有する。また、封止樹脂部６は、組合体１０とケース５との一体化によるリアクトル１Ａの強度や剛性の向上の機能を有する。また、封止樹脂部６は、組合体１０とケース５との間の電気的な絶縁性を向上する機能を有する。また、封止樹脂部６は、組合体１０の熱をケース５に伝熱させ、放熱性を向上する機能を有する。
【手続補正３】
【補正対象書類名】明細書
【補正対象項目名】００７６
【補正方法】変更
【補正の内容】
【００７６】
この例では、ケース５の側壁部５２は、支持部材７に対向する内面５２ｉに、支持部材７の一部が嵌め込まれる第二の溝部５２０を備える。第二の溝部５２０は、図５に示すように、側壁部５２の長辺における上端面と内面５２ｉとで構成される稜線部に形成された切り欠きで構成されている。この切り欠きによって、第二の溝部５２０は、図６に示すように、側壁部５２におけるケース５の開口部５３側の面に対して段差が形成されるような第一面５２０ａを有する。また、第二の溝部５２０は、側壁部５２における第二の溝部５２０が形成されていない部分の内面５２ｉに対して段差が形成されるような第二面５２０ｂを有する。この例では、第二の溝部５２０は、第一面５２０ａと第二面５２０ｂとが直交する切り欠きで構成されている。支持部材７の端部７０は、第二面５２０ｂに当て止めされる。側壁部５２に第二の溝部５２０を備えることで、第二の溝部５２０の溝深さ分だけ支持部材７の介在領域の収納空間を広くできる。かつ、第二の溝部５２０を備えない部分では、組合体１０とケース５との間の間隔を上記間隔とでき、十分に狭くできる。第二の溝部５２０の溝深さは、支持部材７の介在領域を収納可能な程度に適宜選択できる。
【手続補正４】
【補正対象書類名】明細書
【補正対象項目名】００８１
【補正方法】変更
【補正の内容】
【００８１】
この例では、凸部７４及び凹部５２１の嵌合によって、支持部材７の端部７０が側壁部５２の内面５２ｉに当て止めされる。そのため、支持部材７をケース５に対して強固に固定し易い。凸部７４と凹部５２１とを嵌合できれば、支持部材７は、樹脂材料で構成してもよい。凸部及び凹部の嵌合は、ケース５の側壁部５２に凸部を設け、支持部材７の端部７０に凹部を設けることで構成してもよい。
【手続補正５】
【補正対象書類名】図面
【補正対象項目名】図７
【補正方法】変更
【補正の内容】
【図７】
2020080392.tif 000001
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
面発光レーザー光源を有するレーザーモジュールに用いるための光学部材であって、
導電性物質を含む配線を有し、
前記光学部材は、基板状であり、
前記光学部材は、光学素子を有し、
前記光学素子は、前記光学部材の一部に形成されており、
前記配線は、前記光学素子が形成されていない領域に形成されることを特徴とする光学部材。
【請求項２】
前記導電性物質が金属を含む、請求項１に記載の光学部材。
【請求項３】
前記導電性物質が銀を含む、請求項１又は２に記載の光学部材。
【請求項４】
前記光学素子が、回折光学素子及びマイクロレンズアレイからなる群から選択される少なくとも１種である、請求項１〜３のいずれか１項に記載の光学部材。
【請求項５】
前記光学部材が、プラスチック、又はプラスチックと無機ガラスの積層体である、請求項１〜４のいずれか１項に記載の光学部材。
【請求項６】
前記プラスチックが、硬化性エポキシ樹脂組成物の硬化物である、請求項５に記載の光学部材。
【請求項７】
請求項１〜６のいずれか１項に記載の光学部材と、面発光レーザー光源とを有するレーザーモジュール。
【請求項８】
さらに、前記光学部材が有する導電性物質を含む配線の通電状態を検出する通電検出機構を有する、請求項７に記載のレーザーモジュール。
【請求項９】
請求項７又は８に記載のレーザーモジュールを有する、レーザーデバイス。
【請求項１０】
請求項１〜６のいずれか１項に記載の光学部材の製造方法であって、
印刷方式により導電性物質を含むインクを光学部材に塗布して配線を形成する工程を含むことを特徴とする、前記光学部材の製造方法。
【請求項１１】
前記印刷方式が、インクジェット印刷法又はスクリーン印刷法を含む、請求項１０に記載の光学部材の製造方法。
【請求項１２】
前記光学部材が、２個以上の光学素子が２次元的に配列した光学素子アレイである、請求項１０又は１１に記載の光学部材の製造方法。
【請求項１３】
前記光学素子アレイを、ダイシングにより２個以上の光学素子を個片化する工程をさらに含む、請求項１２に記載の光学部材の製造方法。
【手続補正書】
【提出日】令和3年6月1日(2021.6.1)
【手続補正１】
【補正対象書類名】明細書
【補正対象項目名】００８１
【補正方法】変更
【補正の内容】
【００８１】
第一端面部材４１と第二端面部材４２におけるコイル２側の面には、各巻回部２１、２２の端面の傾斜に沿った傾斜面が形成されている。各傾斜面は、各巻回部２１、２２の端面と面接触する。第一端面部材４１の上記傾斜面は、貫通孔４３の周囲を全周に囲むように矩形の環状に形成されている。第二端面部材４２の上記傾斜面は、貫通孔４３の周囲の３方を囲むようにＵ字状に形成されている。第一端面部材４１と第二端面部材４２における外側コア部３３側の面には、外側コア部３３を嵌め込むための一つの凹部４４が形成されている。第二端面部材４２の長辺部５２２側の面には、コイル２の接続部２３が収納される収納部４５が形成されている。
【手続補正２】
【補正対象書類名】明細書
【補正対象項目名】００８８
【補正方法】変更
【補正の内容】
【００８８】
《実施形態２》
〔リアクトル〕
図３を参照して、実施形態２に係るリアクトル１Ｂを説明する。実施形態２に係るリアクトル１Ｂは、組合体１０をケース５の底板部５１に固定する接着層９を有する点が、実施形態１に係るリアクトル１Ａと相違する。以下、相違点を中心に説明し、同様の構成については説明を省略する。
【手続補正３】
【補正対象書類名】明細書
【補正対象項目名】００９１
【補正方法】変更
【補正の内容】
【００９１】
接着層９の材質は、絶縁性樹脂が挙げられる。そうすれば、下方側の巻回部２１とケース５との絶縁性を高められる。絶縁性樹脂は、熱硬化性樹脂や熱可塑性樹脂が挙げられる。熱硬化性樹脂は、例えば、エポキシ樹脂、シリコーン樹脂、不飽和ポリエステルなどが挙げられる。熱可塑性樹脂は、例えば、ＰＰＳ樹脂、ＬＣＰなどが挙げられる。絶縁性樹脂には、上述のセラミックスフィラーなどを含有することが好ましい。接着層９の放熱性を高め易いからである。接着層９の熱伝導率は、高いほど好ましい。下方側の巻回部２１の熱をケース５に伝達させ易いからである。接着層９の熱伝導率は、例えば、０．３Ｗ／ｍ・Ｋ以上が好ましく、更に１Ｗ／ｍ・Ｋ以上が好ましく、特に２Ｗ／ｍ・Ｋ以上が好ましい。
【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
第１光路を介して外部のターゲットに向けて光を照射する照射装置と、
前記第１光路から離れ、かつ、前記第１光路の大気環境から隔離された第２光路に配置され、前記第１光路の前記大気環境の、前記光に対する特性を取得する大気特性取得システムと、
を具備し、
前記照射装置は、
前記特性に基づいて、前記光の波面を補正する波面補正光学系
を具備する
光学システム。
【請求項２】
請求項１に記載の光学システムにおいて、
前記大気特性取得システムは、
内部に前記第１光路の前記大気環境を再現出来るように構成された大気モデルチャンバーと、
前記大気モデルチャンバーを通過した光を用いて前記特性を測定する測定装置と、
を具備する
光学システム。
【請求項３】
請求項２に記載の光学システムにおいて、
前記大気モデルチャンバーの内部を真空にする真空ポンプと、
前記大気モデルチャンバーの内部に、前記第１光路の大気を再現した大気環境再現気体を流入する大気環境再現装置
をさらに具備する
光学システム。
【請求項４】
請求項３に記載の光学システムにおいて、
前記大気環境再現装置は、
前記第１光路から光路大気を取り込む大気取り込み口と、
標準大気を供給する標準大気容器と、
エアロゾルを供給するエアロゾル生成器と、
前記光路大気、前記標準大気および前記エアロゾルを混合して前記大気環境再現気体を生成するガスミキサーと、
前記ガスミキサーから前記大気モデルチャンバーに流入する前記大気環境再現気体の流量を測定するガス流量計と、
前記ガスミキサーから前記大気モデルチャンバーに流入する前記エアロゾルの粒子数を数えるパーティクルカウンターと、
前記ガスミキサーから前記大気モデルチャンバーに流入する前記大気環境再現気体の前記流量を調節するガス流量調節バルブと
を具備する
光学システム。
【請求項５】
請求項４に記載の光学システムにおいて、
前記測定装置は、前記内部が真空である第１状態の前記大気モデルチャンバーを通過した光を用いて測定する第１特性と、前記内部に前記大気環境を再現している第２状態の前記大気モデルチャンバーを通過した光を用いて測定する第２特性とを比較して、前記特性を取得する
光学システム。
【請求項６】
請求項５に記載の光学システムにおいて、
前記大気モデルチャンバーは、
光が外部から前記内部に入射する第１窓と、
前記光が前記内部から外部へ出射する第２窓と
を具備し、
前記測定装置は、
前記光が前記第１窓から入射する前の入射光の強度分布を調整するビーム径調整機構と、
前記光が前記第２窓から出射した出射光を照射されてビームスポットが生じるスクリーンと、
前記ビームスポットを観測して、前記出射光の強度分布を測定する強度分布観測用カメラと
を具備する
光学システム。
【請求項７】
請求項６に記載の光学システムにおいて、
前記第１状態の前記大気モデルチャンバーから出射した前記出射光によって生じる第１ビームスポットに基づく第１測定結果と、前記第２状態の前記大気モデルチャンバーから出射した前記出射光によって生じる第２ビームスポットに基づく第２測定結果とを比較した結果に基づいて、前記第１光路におけるサーマルブルーミング効果による光への影響を打ち消すように前記波面補正光学系を制御する制御装置
をさらに具備する
光学システム。
【請求項８】
請求項７に記載の光学システムにおいて、
前記制御装置は、前記比較した結果に基づいて、前記第２光路におけるサーマルブルーミング効果による光への影響を算出し、前記第２光路の前記影響に基づいて前記第１光路におけるサーマルブルーミング効果による光への影響を算出する
光学システム。
【請求項９】
請求項１〜８のいずれか一項に記載の光学システムにおいて、
前記波面補正光学系および前記第１光路を介して前記ターゲットに向かう第１光を生成する第１光源と、
前記大気環境の前記特性を取得するために前記大気特性取得システムの内部を通過する第２光を生成する、前記第１光源とは異なる第２光源と
をさらに備える
光学システム。
【請求項１０】
請求項１〜８のいずれか一項に記載の光学システムにおいて、
前記波面補正光学系および前記第１光路を介して前記ターゲットに向かう第１光と、前記大気環境の前記特性を取得するために前記大気特性取得システムの内部を通過する第２光とを生成する兼用光源と、
前記兼用光源が生成する光の光路を、前記第１光路および前記第２光路のいずれかに切り替える切替ミラーと、
をさらに具備する
光学システム。
【請求項１１】
請求項１〜８のいずれか一項に記載の光学システムにおいて、
前記波面補正光学系および前記第１光路を介して前記ターゲットに向かう第１光と、前記大気環境の前記特性を取得するために前記大気特性取得システムの内部を通過する第２光とを生成する兼用光源
をさらに具備し、
前記第２光路は、前記第１光が、前記第２光路、前記波面補正光学系および前記第１光路を介して前記ターゲットに向かうように配置されている
光学システム。
【請求項１２】
請求項１〜１１のいずれか一項に記載の光学システムにおいて、
前記第２光路を通過する光の散乱を観測する散乱光観測用カメラ
をさらに具備し、
前記照射装置は、前記散乱の観測結果に基づいて前記波面補正光学系を制御する
光学システム。
【請求項１３】
請求項１〜１２のいずれか一項に記載の光学システムにおいて、
前記第１光路における気象情報を取得する気象計
をさらに具備し、
前記照射装置は、前記気象情報の観測結果にさらに基づいて前記波面補正光学系を制御する
光学システム。
【請求項１４】
外部のターゲットに向けて照射される光が通過する第１光路の大気環境の、前記光に対する特性を、前記第１光路から離れ、かつ、前記第１光路の前記大気環境から隔離された第２光路において取得することと、
前記特性に基づいて、前記光の波面を補正するように、波面補正光学系を制御することと、
前記波面補正光学系および前記第１光路を介して前記ターゲットに向けて光を照射することと
を含む
光学補正方法。